(57)【要約】【課題】記録された画像の内容を容易に判別して再生することができるよう、記録画像の管理が可能な装置及び方法を提供することを課題とする。【解決手段】画像データを生成する撮像手段と、撮像手段により生成された画像データを記録媒体に記録する記録手段と、第１の管理単位と、ｎ個（ｎは１以上の整数）の第１の管理単位からなる第２の管理単位で記録媒体に記録された画像データを管理するための管理情報を生成する管理情報生成手段とを備え、管理情報生成手段は、撮像手段の撮影条件の変化に基づいて第２の管理単位を設定することを特徴とする撮像装置が提供される。【選択図】図６
2007200409.tif 000002
【特許請求の範囲】
【請求項１】
画像データを生成する撮像手段と、
前記撮像手段により生成された画像データを記録媒体に記録する記録手段と、
第１の管理単位と、ｎ個（ｎは１以上の整数）の前記第１の管理単位からなる第２の管理単位で前記記録媒体に記録された画像データを管理するための管理情報を生成する管理情報生成手段とを備え、
前記管理情報生成手段は、前記撮像手段の撮影条件の変化に基づいて前記第２の管理単位を設定することを特徴とする撮像装置。
【請求項２】
画像データを生成する撮像手段と、
前記撮像手段により生成された画像データを記録媒体に記録する記録手段と、
第１の管理単位と、ｎ個（ｎは１以上の整数）の前記第１の管理単位からなる第２の管理単位で前記記録媒体に記録された画像データを管理するための管理情報を生成する管理情報生成手段とを備え、
前記管理情報生成手段は、前記撮像手段の撮影条件の変化に基づいて前記第１の管理単位を設定することを特徴とする撮像装置。
【請求項３】
画像データを生成する撮像手段と、
前記撮像手段により生成された画像データを記録媒体に記録する記録手段と、
第１の管理単位と、ｎ個（ｎは１以上の整数）の前記第１の管理単位からなる第２の管理単位で前記記録媒体に記録された画像データを管理するための管理情報を生成する管理情報生成手段とを備え、
前記管理情報生成手段は、前記撮像手段の撮影条件の変化に基づいて前記第１の管理単位と前記第２の管理単位とを設定することを特徴とする撮像装置。
【請求項４】
前記管理情報生成手段は更に、前記画像データの記録開始の指示及び記録停止の指示に応じて前記第１の管理単位を設定することを特徴とする請求項１〜３の何れか１項に記載の撮像装置。
【請求項５】
前記管理情報生成手段は、前記第２の管理単位の設定に連動して前記第１の管理単位も設定することを特徴とする請求項１〜３の何れか１項に記載の撮像装置。
【請求項６】
前記管理情報に基づいて、前記第１の管理単位毎及び第２の管理単位毎に代表画像データを生成して表示装置に表示する表示手段を更に備えたことを特徴とする請求項１〜３の何れか１項に記載の撮像装置。
【請求項７】
複数の撮影モードの中から前記撮像手段の撮影モードを切り替えるモード切り替え手段を更に備え、前記撮影条件は前記撮影モードを含むことを特徴とする請求項１〜３の何れか１項に記載の撮像装置。
【請求項８】
前記撮影条件を任意に設定する条件設定手段を更に備えたことを特徴とする請求項１〜３の何れか１項に記載の撮像装置。
【請求項９】
前記撮影条件は、前記撮像手段における絞りとシャッター速度の関係を表すプログラム線図、絞り値、シャッター速度、ホワイトバランス、露出補正値、ゲイン設定のうち少なくとも一つを含むことを特徴とする請求項１〜３の何れか１項に記載の撮像装置。
【請求項１０】
前記管理情報生成手段は、前記撮影条件の変化を検出した後、或いは、変化の検出から一定時間遡って前記第２の管理単位を設定することを特徴とする請求項１記載の撮像装置。
【請求項１１】
撮像手段により生成された画像データを入力する入力手段と、
前記画像データを記録媒体に記録する記録手段と、
第１の管理単位と、ｎ個（ｎは１以上の整数）の前記第１の管理単位からなる第２の管理単位で前記記録媒体に記録された画像データを管理するための管理情報を生成する管理情報生成手段とを備え、
前記管理情報生成手段は、前記撮像手段の撮影条件の変化に基づいて前記第２の管理単位を設定することを特徴とする記録装置。
【請求項１２】
撮像手段により生成された画像データを入力する入力手段と、
前記画像データを記録媒体に記録する記録手段と、
第１の管理単位と、ｎ個（ｎは１以上の整数）の前記第１の管理単位からなる第２の管理単位で前記記録媒体に記録された画像データを管理するための管理情報を生成する管理情報生成手段とを備え、
前記管理情報生成手段は、前記撮像手段の撮影条件の変化に基づいて前記第１の管理単位を設定することを特徴とする記録装置。
【請求項１３】
撮像手段により生成された画像データを入力する入力手段と、
前記画像データを記録媒体に記録する記録手段と、
第１の管理単位と、ｎ個（ｎは１以上の整数）の前記第１の管理単位からなる第２の管理単位で前記記録媒体に記録された画像データを管理するための管理情報を生成する管理情報生成手段とを備え、
前記管理情報生成手段は、前記撮像手段の撮影条件の変化に基づいて前記第１の管理単位と前記第２の管理単位とを設定することを特徴とする記録装置。
【請求項１４】
画像データを生成する撮像手段と、
前記撮像手段により生成された画像データをＤＶＤビデオフォーマットに従って記録媒体に記録する記録手段と、
前記記録媒体に記録された画像データを前記ＤＶＤビデオフォーマットにおけるチャプタ及びタイトルとして管理するための管理情報を生成する管理情報生成手段とを備え、
前記管理情報生成手段は、前記撮像手段の撮影条件の変化に基づいて前記タイトルを設定することを特徴とする撮像装置。
【請求項１５】
画像データを生成する撮像手段と、
前記撮像手段により生成された画像データをＤＶＤビデオフォーマットに従って記録媒体に記録する記録手段と、
前記記録媒体に記録された画像データを前記ＤＶＤビデオフォーマットにおけるチャプタ及びタイトルとして管理するための管理情報を生成する管理情報生成手段とを備え、
前記管理情報生成手段は、前記撮像手段の撮影条件の変化に基づいて前記チャプタを設定することを特徴とする撮像装置。
【請求項１６】
画像データを生成する撮像手段と、
前記撮像手段により生成された画像データをＤＶＤビデオフォーマットに従って記録媒体に記録する記録手段と、
前記記録媒体に記録された画像データを前記ＤＶＤビデオフォーマットにおけるチャプタ及びタイトルとして管理するための管理情報を生成する管理情報生成手段とを備え、
前記管理情報生成手段は、前記撮像手段の撮影条件の変化に基づいて前記チャプタと前記タイトルとを設定することを特徴とする撮像装置。
【請求項１７】
撮像手段により生成された画像データを入力する入力ステップと、
前記画像データを記録媒体に記録する記録ステップと、
第１の管理単位と、ｎ個（ｎは１以上の整数）の前記第１の管理単位からなる第２の管理単位で前記記録媒体に記録された画像データを管理するための管理情報を生成する管理情報生成ステップとを備え、
前記管理情報生成ステップは、前記撮像手段の撮影条件の変化に基づいて前記第２の管理単位を設定することを特徴とする記録方法。
【請求項１８】
撮像手段により生成された画像データを入力する入力ステップと、
前記画像データを記録媒体に記録する記録ステップと、
第１の管理単位と、ｎ個（ｎは１以上の整数）の前記第１の管理単位からなる第２の管理単位で前記記録媒体に記録された画像データを管理するための管理情報を生成する管理情報生成ステップとを備え、
前記管理情報生成ステップは、前記撮像手段の撮影条件の変化に基づいて前記第１の管理単位を設定することを特徴とする記録方法。
【請求項１９】
撮像手段により生成された画像データを入力する入力ステップと、
前記画像データを記録媒体に記録する記録ステップと、
第１の管理単位と、ｎ個（ｎは１以上の整数）の前記第１の管理単位からなる第２の管理単位で前記記録媒体に記録された画像データを管理するための管理情報を生成する管理情報生成ステップとを備え、
前記管理情報生成ステップは、前記撮像手段の撮影条件の変化に基づいて前記第１の管理単位と前記第２の管理単位とを設定することを特徴とする記録方法。
【発明の詳細な説明】
【技術分野】
【０００１】
本発明は、撮像装置、記録装置及び記録方法に関する。
【背景技術】
【０００２】
近年、磁気テープに代えてＤＶＤなどの光ディスクに対して画像や音声を記録する装置が登場している。この種の装置のうち、ＤＶＤレコーダーでは、通常、テレビ放送を録画する場合、一つの番組をタイトルと呼ばれる単位で記録している。また、一つのタイトルを複数のチャプタという単位に分割することで、番組内で簡単に頭出しができるようになっている。
【０００３】
このようにＤＶＤに記録された画像、音声を再生する場合、録画した番組（タイトル）のサムネイル画像の一覧を表示し、所望の番組のサムネイル画像を選択して再生する構成を採ることが多い。また、タイトルのサムネイルに加え、チャプタのサムネイル画像の一覧を表示する機能を持つものもある。
【０００４】
一方、ビデオカメラにおいても、ＤＶＤを記録媒体とするものが登場している。ビデオカメラでは、一般に、一回に撮影する時間が数秒〜数分と短い。そのため、一枚のディスクには多数のシーンが記録されることになる。
【０００５】
一方、ＤＶＤビデオフォーマットでは、一枚のディスクにて管理できるタイトル数は９９までに限られている。そのため、１シーンを１タイトルとして管理した場合、一枚のディスクに最大で９９シーンしか記録できなくなってしまう。
【０００６】
そのため、ＤＶＤビデオカメラでは、一回に撮影したシーンの動画像データ（動画クリップと呼ぶ）をチャプタ単位で管理し、複数のチャプタの集合をタイトルとして管理することが行われている。一つのタイトルは最大９９個のチャプタを記録することができる。
【０００７】
これにより、一つのシーンを１タイトルとして管理する場合に比べ、ディスク一枚あたりに記録可能なシーンの数を増やすことができる。
【０００８】
この様に、１シーンを１チャプタとして管理する場合に、タイトルに分割する条件として以下のようなものが考えられる。即ち、動画クリップの撮影数が９９チャプタを超えた場合、画面解像度を変更した場合、記録レートを変更した場合などが挙げられる。
【０００９】
また、同一の日付に記録された複数のチャプタを一つのタイトルとして管理する記録方法も知られている（例えば特許文献１参照）。
【００１０】
【特許文献１】特開２００３−３０８６７５号公報
【発明の開示】
【発明が解決しようとする課題】
【００１１】
前述したように、ＤＶＤビデオカメラは一つの動画クリップをチャプタ単位で記録することで記録可能な動画クリップ数を増やしており、複数のチャプタの集合を前記のような条件に基づいてタイトル管理している。しかし、このような記録管理方法では、タイトルそのものにはあまり意味はなく、データ構造としても煩雑になってしまっているのが現状である。
【００１２】
据え置きレコーダーの場合、番組毎にタイトル単位で、各番組内での任意の場面をチャプタ単位で記録することにより、ユーザが記録映像の内容を早期に把握することができるという効果が得られた。
【００１３】
一方、ビデオカメラの場合、データ構造上タイトル分割を行っているだけであり、タイトル毎に内容（シーン）が異なるといった意味合いは無い。
【００１４】
またビデオカメラにより撮影した記録媒体を据え置き機器で再生する場合、タイトルのサムネイルを選択したあとに、タイトル内の目的とするチャプタを探す必要があり、目的のシーンを再生するためには非常に手間がかかっていた。
【００１５】
特許文献１のように、日付毎に管理する方法では、日付をまたいで撮影を行う場合や、同日に異なる時間や場所で撮影を行う場合には、やはり分類する意味を成さなくなってしまう。そのため、ユーザにとって意味のあるタイトル管理を行うという課題に対し、根本的な解決には至っていない。
【００１６】
このように、ＤＶＤビデオカメラにおいては、ユーザにとっては記録されている映像の内容が把握しづらい形で管理されており、ユーザは所望のシーンを簡単に見つけて再生することができないという問題があった。
【００１７】
本発明はこの様な問題を解決し、記録された画像の内容を容易に判別して再生することができるよう、記録画像の管理が可能な装置及び方法を提供することを目的とする。
【課題を解決するための手段】
【００１８】
本発明の撮像装置は、画像データを生成する撮像手段と、前記撮像手段により生成された画像データを記録媒体に記録する記録手段と、第１の管理単位と、ｎ個（ｎは１以上の整数）の前記第１の管理単位からなる第２の管理単位で前記記録媒体に記録された画像データを管理するための管理情報を生成する管理情報生成手段とを備え、前記管理情報生成手段は、前記撮像手段の撮影条件の変化に基づいて前記第２の管理単位を設定することを特徴とする。
また、本発明の撮像装置は、画像データを生成する撮像手段と、前記撮像手段により生成された画像データを記録媒体に記録する記録手段と、第１の管理単位と、ｎ個（ｎは１以上の整数）の前記第１の管理単位からなる第２の管理単位で前記記録媒体に記録された画像データを管理するための管理情報を生成する管理情報生成手段とを備え、前記管理情報生成手段は、前記撮像手段の撮影条件の変化に基づいて前記第１の管理単位を設定することを特徴とする。
また、本発明の撮像装置は、画像データを生成する撮像手段と、前記撮像手段により生成された画像データを記録媒体に記録する記録手段と、第１の管理単位と、ｎ個（ｎは１以上の整数）の前記第１の管理単位からなる第２の管理単位で前記記録媒体に記録された画像データを管理するための管理情報を生成する管理情報生成手段とを備え、前記管理情報生成手段は、前記撮像手段の撮影条件の変化に基づいて前記第１の管理単位と前記第２の管理単位とを設定することを特徴とする。
【００１９】
また、本発明の記録装置は、撮像手段により生成された画像データを入力する入力手段と、前記画像データを記録媒体に記録する記録手段と、第１の管理単位と、ｎ個（ｎは１以上の整数）の前記第１の管理単位からなる第２の管理単位で前記記録媒体に記録された画像データを管理するための管理情報を生成する管理情報生成手段とを備え、前記管理情報生成手段は、前記撮像手段の撮影条件の変化に基づいて前記第２の管理単位を設定することを特徴とする。
また、本発明の記録装置は、撮像手段により生成された画像データを入力する入力手段と、前記画像データを記録媒体に記録する記録手段と、第１の管理単位と、ｎ個（ｎは１以上の整数）の前記第１の管理単位からなる第２の管理単位で前記記録媒体に記録された画像データを管理するための管理情報を生成する管理情報生成手段とを備え、前記管理情報生成手段は、前記撮像手段の撮影条件の変化に基づいて前記第１の管理単位を設定することを特徴とする。
また、本発明の記録装置は、撮像手段により生成された画像データを入力する入力手段と、前記画像データを記録媒体に記録する記録手段と、第１の管理単位と、ｎ個（ｎは１以上の整数）の前記第１の管理単位からなる第２の管理単位で前記記録媒体に記録された画像データを管理するための管理情報を生成する管理情報生成手段とを備え、前記管理情報生成手段は、前記撮像手段の撮影条件の変化に基づいて前記第１の管理単位と前記第２の管理単位とを設定することを特徴とする。
【００２０】
また、本発明の撮像装置は、画像データを生成する撮像手段と、前記撮像手段により生成された画像データをＤＶＤビデオフォーマットに従って記録媒体に記録する記録手段と、前記記録媒体に記録された画像データを前記ＤＶＤビデオフォーマットにおけるチャプタ及びタイトルとして管理するための管理情報を生成する管理情報生成手段とを備え、前記管理情報生成手段は、前記撮像手段の撮影条件の変化に基づいて前記タイトルを設定することを特徴とする。
また、本発明の撮像装置は、画像データを生成する撮像手段と、前記撮像手段により生成された画像データをＤＶＤビデオフォーマットに従って記録媒体に記録する記録手段と、前記記録媒体に記録された画像データを前記ＤＶＤビデオフォーマットにおけるチャプタ及びタイトルとして管理するための管理情報を生成する管理情報生成手段とを備え、前記管理情報生成手段は、前記撮像手段の撮影条件の変化に基づいて前記チャプタを設定することを特徴とする。
また、本発明の撮像装置は、画像データを生成する撮像手段と、前記撮像手段により生成された画像データをＤＶＤビデオフォーマットに従って記録媒体に記録する記録手段と、前記記録媒体に記録された画像データを前記ＤＶＤビデオフォーマットにおけるチャプタ及びタイトルとして管理するための管理情報を生成する管理情報生成手段とを備え、前記管理情報生成手段は、前記撮像手段の撮影条件の変化に基づいて前記チャプタと前記タイトルとを設定することを特徴とする。
【００２１】
また、本発明の記録方法は、撮像手段により生成された画像データを入力する入力ステップと、前記画像データを記録媒体に記録する記録ステップと、第１の管理単位と、ｎ個（ｎは１以上の整数）の前記第１の管理単位からなる第２の管理単位で前記記録媒体に記録された画像データを管理するための管理情報を生成する管理情報生成ステップとを備え、前記管理情報生成ステップは、前記撮像手段の撮影条件の変化に基づいて前記第２の管理単位を設定することを特徴とする。
また、本発明の記録方法は、撮像手段により生成された画像データを入力する入力ステップと、前記画像データを記録媒体に記録する記録ステップと、第１の管理単位と、ｎ個（ｎは１以上の整数）の前記第１の管理単位からなる第２の管理単位で前記記録媒体に記録された画像データを管理するための管理情報を生成する管理情報生成ステップとを備え、前記管理情報生成ステップは、前記撮像手段の撮影条件の変化に基づいて前記第１の管理単位を設定することを特徴とする。
また、本発明の記録方法は、撮像手段により生成された画像データを入力する入力ステップと、前記画像データを記録媒体に記録する記録ステップと、第１の管理単位と、ｎ個（ｎは１以上の整数）の前記第１の管理単位からなる第２の管理単位で前記記録媒体に記録された画像データを管理するための管理情報を生成する管理情報生成ステップとを備え、前記管理情報生成ステップは、前記撮像手段の撮影条件の変化に基づいて前記第１の管理単位と前記第２の管理単位とを設定することを特徴とする。
【発明の効果】
【００２２】
撮影条件の変化に応じて管理単位を設定することで、被写体の変化に基づく画像の管理が可能となり、ユーザは記録媒体に記録された画像データの内容を把握することが容易になる。
【発明を実施するための最良の形態】
【００２３】
以下に、この発明の最良の形態を例示的に詳細に説明する。ただし、この実施の形態に記載されている構成要素はあくまでも例示であり、この発明の範囲をそれらのみに限定する趣旨のものではない。
【００２４】
（第１の実施形態）
図１は、本発明の第１の実施形態によるＤＶＤ−Ｖｉｄｅｏのデータ構造例を示した図である。記録媒体１０１には、ビデオマネージャ（VMG）１１１とビデオタイトルセット（VTS）＃１（１１２）〜＃ｎ（１１４）といった動画像データ再生に必要な情報が記録されている。
【００２５】
ビデオマネージャ（VMG）１１１は、ビデオマネージャ情報（VMGI）１２１、ビデオマネージャメニュー用ビデオオブジェクトセット（VMGM_VOBS）１２２、ビデオマネージャ情報バックアップ（VMGI_BUP）１２３から構成される。ビデオマネージャ情報（VMGI）１２１は、ＤＶＤ−Ｖｉｄｅｏ全体を制御する管理情報である。ビデオマネージャメニュー用ビデオオブジェクトセット（VMGM_VOBS）１２２は、タイトルメニュー画面を構成するためのコンテンツ情報である。ビデオマネージャ情報バックアップ（VMGI_BUP）１２３は、ビデオマネージャ情報（VMGI）１２１の完全なコピーであり、バックアップ情報として利用される。
【００２６】
各ビデオタイトルセット（VTS）は、ビデオタイトルセット情報１２４、ビデオタイトルセットメニュー用ビデオオブジェクトセット１２５、ビデオタイトルセット用ビデオオブジェクトセット１２６、ビデオタイトルセット情報バックアップ１２７から成る。ビデオタイトルセット情報１２４はVTSIである。ビデオタイトルセットメニュー用ビデオオブジェクトセット１２５はVTSM_VOBSである。ビデオタイトルセット用ビデオオブジェクトセット１２６はVTSTT_VOBSである。ビデオタイトルセット情報バックアップ１２７はVTSI_BUPである。ビデオタイトルセット情報（VTSI）１２４は、各ビデオタイトルセット（VTS）を制御する管理情報である。ビデオタイトルセットメニュー用ビデオオブジェクトセット（VTSM_VOBS）１２５は、ビデオタイトルセット（VTS）内の各種メニュー画面を構成するためのコンテンツ情報である。ビデオタイトルセット用ビデオオブジェクトセット（VTSTT_VOBS）１２６は、タイトル再生のためのコンテンツであり、DVDレコーダーやDVDデジタルビデオカメラによって記録した映像そのものである。ビデオタイトルセット情報バックアップ（VTSI_BUP）１２７は、ビデオタイトルセット情報（VTSI）１２４の完全なコピーであり、バックアップ情報として利用される。
【００２７】
なお、タイトルやチャプタといった管理単位情報は、ビデオタイトルセット情報（VTSI）１２４で管理されている。
【００２８】
図２は、本実施形態によるデジタルビデオカメラの構成例を示すブロック図である。図２において、２０１は光電変換により画像データを生成する撮像部である。２０２はマイクロフォン、２０３は記録系回路であり、撮像部２０１及びマイクロフォン２０２より得られた画像データ、音声データを圧縮、符号化する。２０４はファイルシステムであり、記録系回路２０３から出力されたデータを所定の形式にフォーマット化し、ファイルデータとして光ディスク２０５に対して記録再生する。２０６は後述する撮影情報変化の検出を行い、動画像の管理単位情報を編集する編集系回路である。２０７はファイルシステム２０４からデータファイルを再生する再生系回路である。２０８、２０９はそれぞれ画像データ、音声データの出力端子、２１０は撮像部２０１、再生系回路２０７から出力される画像データに係る画像を表示するＬＣＤ（液晶表示器）である。２１１はデジタルビデオカメラの動作を制御するシステムコントロール部（以下シスコン）、２１２は電源スイッチ、記録トリガ、再生スイッチ、停止スイッチあるいは再生リストの編集スイッチなどを含む操作部である。２１３は、撮影情報に基づいてタイトル作成やチャプタ分割を自動化するか否かの設定や分割のため条件設定などを行う管理条件設定部である。
【００２９】
次に、通常の記録モードにおける動作について説明する。操作部２１２により動画撮影モードがセットされ、記録トリガにより記録開始が指示されると、シスコン２１１は記録系回路２０３を制御して記録を開始する。記録系回路２０３は撮像部２０１及びマイク２０２より得られた画像データ及び音声データを符号化し、所定の形式にてファイルシステム２０４に出力する。ファイルシステム２０４は所定のファイル形式に従うヘッダなどの付加情報を付加して記録系回路２０３から出力されるデータ列をフォーマット化し、ディスク２０５に対して記録する。
【００３０】
また、操作部２１２により静止画撮影モードがセットされ、記録トリガにより静止画撮影が指示されると、シスコン２１１は記録系回路２０３を制御して記録を開始する。記録系回路２０３は撮像部２０１より得られた画像データを符号化し、所定の形式にてファイルシステム２０４に出力する。ファイルシステム２０４は所定のファイル形式に従うヘッダなどの付加情報を付加して記録系回路２０３から出力されるデータ列をフォーマット化し、ディスク２０５に対して記録する。
【００３１】
図３は、記録系回路２０３及びその周辺回路の要部構成例を示す図である。図３において、撮像部２０１からの画像データは画像信号処理部３０１に出力される。画像信号処理部３０１は撮像部２０１からの画像データに対して符号化フォーマットに従うサブサンプルなどの処理を施し、画像データ符号化部３０２に出力する。画像データ符号化部３０２は画像信号処理部３０１からの画像データをＭＰＥＧ２あるいはＪＰＥＧの規格に従って符号化し、データ符号化処理部３０６に出力する。また、画像データ符号化部３０２は一つのデータファイルの代表画像を示すサムネイル画像データを生成し、データ符号化処理部３０６に出力する。
【００３２】
また、マイクロフォン２０２からの音声データは音声信号処理部３０３に出力される。音声信号処理部３０３はマイクロフォン２０２からの音声データをデジタルデータに変換し、更に、ノイズ抑圧や増幅等の処理を施し、音声データ符号化部３０４に出力する。音声データ符号化部３０４は音声信号処理部３０３からの音声データをＭＰＥＧ２の規格に従って符号化し、データ符号化処理部３０６に出力する。
【００３３】
データ符号化処理部３０６は符号化された画像データと音声データとを、ＭＰＥＧ２あるいはＪＰＥＧのトランスポートストリームの形式に変換し、ファイルシステム２０４に出力する。
【００３４】
また、メタデータ生成部３０５は、撮影日時やＦ値などの撮影情報を示すメタデータを生成し、データ符号化処理部３０６に出力する。データ符号化処理部３０６は、これらのメタデータを画像、音声データのファイルのヘッダあるいはフッタに記録するよう配置し、ファイルシステム２０４に出力する。
【００３５】
本実施形態のデジタルビデオカメラにおいては、記録開始のトリガから記録停止のトリガの間に撮影、入力された画像データ、音声データを一つのファイルとして記録する。そして、データ符号化処理部３０６はメタデータ生成部３０５からのメタデータ及び、画像データ符号化部３０２からのサムネイル画像データを各ファイルのヘッダあるいはフッタに格納する。ヘッダにはこの他、ファイル名なども記録される。
【００３６】
次に、通常の再生モードの動作について説明する。操作部２１２により再生モードがセットされると、シスコン２１１は再生系回路２０７を制御して、ディスク２０５に記録されているデータファイルのサムネイル画像をＬＣＤ２１０に表示する。ユーザはＬＣＤ２１０に表示されたサムネイル画像を確認し、操作部２１２を操作して再生を希望するファイルを選択する。シスコン２１１は再生すべきファイルが指定されると、再生系回路２０７を制御して再生中のファイルに関するメタデータの情報をＬＣＤ２１０に表示する。
【００３７】
再生系回路２０７はファイルシステム２０４より指定されたファイルを再生し、そのファイル内の画像データ、音声データを復号して出力端子２０８，２０９より出力すると共に、再生された画像をＬＣＤ２１０に表示する。
【００３８】
図４は、再生系回路２０７及びその周辺回路の構成例を示す図である。図４において、シスコン２１１から再生命令が再生解析部４０１に伝えられると、再生解析部４０１は再生リストや再生の種類を解析する。ファイルシステム２０４により再生されたデータはデータ復号処理部４０２に出力される。データ復号処理部４０２は再生されたデータ列より画像データ、音声データを検出し、更に、ファイルのヘッダ、フッタよりメタデータを検出する。そして、画像データを画像データ復号部４０３に出力する。
【００３９】
画像データ復号部４０３はデータ復号処理部４０２から出力された画像データを復号し、画像出力部４０５に出力する。画像出力部４０５は復号された画像データを外部モニタやその他外部機器にて処理するのに適した形式に変換し、出力端子２０８及びＬＣＤ２１０に出力する。
【００４０】
音声データ復号部４０４はデータ復号処理部４０２から出力された音声データを復号し、音声出力部４０６に出力する。音声出力部４０６は復号された音声信号を外部機器にて処理するのに適した形式に変換し、出力端子２０９に出力する。
【００４１】
次に、本実施形態による撮影情報に基づいたタイトルやチャプタによる動画像管理機能について説明する。編集系回路２０６は、撮影情報の変化を検出し、タイトルやチャプタといった管理単位情報の編集を行う回路である。撮影情報とは、絞りとシャッター速度の関係を表すプログラム線図、撮影絞り値、撮影シャッター速度、ホワイトバランス、露出補正値、ゲイン設定等の撮像手段情報のうち少なくとも１つ以上を含む情報である。新規タイトル作成やチャプタ分割するための条件は、管理条件設定部２１３で予めユーザが設定することも可能である。
【００４２】
図５は、編集系回路２０６及びその周辺回路の構成例を示す図である。撮影情報処理部５０１は、撮像部２０１及びシスコン２１１から送られてくる撮影情報を管理する部分である。撮影情報処理部５０１が、タイトル作成やチャプタ分割の実行条件を満たすような撮影情報の変化を検出した場合は、管理情報処理部５０２に管理情報の編集処理を要求する。管理情報処理部５０２は、撮影情報処理部５０１から送られてくる情報をもとに、記録映像の一時管理情報を作成する部分である。管理情報処理部５０２で作成される一時管理情報により、タイトルやチャプタといった管理単位での管理が可能となる。管理情報処理部５０２で作成された一時管理情報は、記録系回路２０３に送られた後、ディスク２０５に記録される。
【００４３】
以下、撮影情報に基づいたタイトルとチャプタの関係について説明する。第１の実施形態では、撮影中断時に撮影情報が変化した場合の動画像の管理方法を説明する。ここでは、記録トリガによる撮影開始から終了までを１チャプタとして記録している。
【００４４】
撮影を開始すると、撮影情報処理部５０１で撮影開始時の撮影情報と前回の撮影終了時の撮影情報との比較が行われ、新規タイトルを作成するか否か判断する。なお、撮影情報は記録終了の際に、シスコン２１１が内部メモリに記録保持しておき、必要となるたびに内部メモリから呼び出す。撮影情報の変化量が予め設定されている閾値を超えた場合は、管理情報処理部５０２が記録動画の管理を行う一時管理情報を作成する際に今回の動画記録を新規タイトルとして記録することを管理情報に書き込むといった処理を行う。閾値を超えなかった場合は、同タイトルとして記録することを管理情報に書き込む。上記の撮影情報の変化量が予め設定されている閾値を超えた場合は、例えば、Ｆ値が大きく変化したときである。
【００４５】
図６は、第１の実施形態でのタイトルとチャプタの関係を示す図である。図６では、動画像（３）の撮影終了から動画像（４）の撮影開始までの間に撮影情報が変化している。この場合、動画像（４）の撮影開始時に撮影情報処理部５０１が撮影情報の変化を検出すると、管理情報処理部５０２では動画像（１）から（３）をタイトルＩとしてクローズし、動画像（４）を新規タイトル（タイトルＩＩ）として管理する管理情報を作成する。以降、撮影情報が変化するまで、新規チャプタは同タイトル内で管理する。
【００４６】
なお、前回の撮影終了時から今回の撮影開始時までの時間が極端に短い場合は、シーンの移り変わりがないものとして、管理情報処理部５０２は前回撮影の動画クリップと今回撮影の動画クリップを同タイトルとする一時管理情報を作成することも可能とする。この場合の分割判断は、管理条件設定部２１３で設定できるものとする。撮影終了時には、シスコン２１１は終了時点での撮影情報を内部メモリに記録し、次回撮影時の比較に利用する。
【００４７】
撮影情報が変わる環境は、屋内から屋外へ移動した場合、天気が変わった場合、昼と夜に撮影を行う場合などが考えられる。また、ユーザがプログラムＡＥ（Auto Exposure）を変更した場合は、明らかに撮影の目的・対象が変化しており、撮影シーンが変更したと判断できる。この場合、前記手段により新規タイトル作成を行う。プログラムＡＥとは、撮影モードをユーザに選択させ、それぞれのモードに最適なシャッタースピードや絞りの調整を行う自動露出機能のことである。上記の撮影モードは、例えば、標準モード、人物撮影モード、スポーツ撮影モード、風景撮影モード、サーフアンドスノーモードなどである。これらのモードは、操作部２１２でユーザが任意に切り替えて変更することが可能である。
【００４８】
図７に新規タイトル作成の動作のフローチャートを示す。記録トリガにより撮影が開始されると（ステップＳ７０１）、シスコン２１１は自動タイトル作成機能のオン（ＯＮ）／オフ（ＯＦＦ）を確認する（ステップＳ７０２）。
【００４９】
ＯＦＦの場合は、通常の撮影処理を行い、記録トリガにより撮影が終了すると（ステップＳ７０５）、一時管理情報を記録し終了する（ステップＳ７０６）。
【００５０】
ＯＮの場合は、撮影情報処理部５０１が前回撮影終了時の撮影情報と現在の撮影情報の比較を行い（ステップＳ７０３）、各撮影情報の閾値を超えていた場合は、管理情報処理部５０２で新規タイトルの作成を行う（ステップＳ７０４）。変化がなかった場合は、同タイトルとして管理する。記録トリガにより撮影が終了すると（ステップＳ７０５）、作成した一時管理情報をディスクに記録し終了する（ステップＳ７０６）。
【００５１】
以上のように、本実施形態によれば、記録系回路２０３は、撮像部２０１により生成された画像データをＤＶＤビデオフォーマットに従って記録媒体２０５に記録する。編集系回路２０６は、記録媒体２０５に記録された画像データをＤＶＤビデオフォーマットにおけるチャプタ及びタイトルとして管理するための管理情報を生成する。その際、編集系回路２０６は、撮像部２０１の撮影条件（例えば撮影モード）の変化に基づいてタイトルを設定する。
【００５２】
なお、記録フォーマットは、ＤＶＤビデオフォーマットに限定されない。編集系回路２０６は、第１の管理単位（チャプタ）と、ｎ個（ｎは１以上の整数）の前記第１の管理単位からなる第２の管理単位（タイトル）で前記記録媒体に記録された画像データを管理するための管理情報を生成する。その際、編集系回路２０６は、撮像部２０１の撮影条件（例えば撮影モード）の変化に基づいて前記第２の管理単位を設定する。
【００５３】
（第２の実施形態）
本発明の第２の実施形態では、撮影中に撮影情報が変化した場合の動画像の管理方法を説明する。ここでは、記録トリガによる撮影開始から終了までを１チャプタとしているが、撮影中に撮影情報の変化を検出した場合は、チャプタ分割処理を行う。
【００５４】
撮影中に撮影情報が大きく変化したことを撮影情報処理部５０１が検出すると、管理情報処理部５０２は検出箇所でチャプタ分割を行い、検出箇所以降の動画像を新規チャプタとして管理する一時管理情報が作成される。例えば、撮影しながら屋外から屋内に移動した場合、シーンの切り替わりと考えることができる。このとき、ＡＷＢやＡＥ機能を備えたデジタルビデオカメラではホワイトバランスや露出の自動補正が行われる。前述のような撮影情報の変化検出箇所でチャプタ分割しておくと、シーンの切り替わりとして管理することが可能となる。なお、前述の説明では撮影情報の変化の瞬間を分割位置としているが、変化の検出に時間を要するような処理の場合は、変化検出位置から所定時間遡って分割位置とすることも可能とする。すなわち、撮影条件の変化を検出した後、或いは、変化の検出から一定時間遡ってチャプタを設定する。
【００５５】
また、本実施形態では、一つのタイトル中のチャプタが９９を超えた場合にタイトルを分割する。
【００５６】
図８は、第２の実施形態でのタイトルとチャプタの関係を示す図である。ここでは、動画像（１）及び（３）の撮影中に撮影情報が変化している。この場合、動画像（１）の撮影中に撮影情報処理部５０１が撮影情報の変化を検出すると、管理情報処理部５０２では動画像（１）内の変化検出位置までをチャプタ１としてクローズし、それ以降の動画像（１）をチャプタ２として管理する管理情報を作成する。以降、撮影情報が変化するか撮影終了になるまで、新規チャプタは作成されない。動画像（３）の撮影においても、同様の処理を行う。
【００５７】
図９にチャプタ分割の動作のフローチャートを示す。記録トリガにより撮影が開始されると（ステップＳ９０１）、シスコン２１１は自動チャプタ分割機能のＯＮ／ＯＦＦを確認する（ステップＳ９０２）。
【００５８】
ＯＦＦの場合は、通常の撮影処理を行い、記録トリガにより撮影が終了すると（ステップＳ９０６）、一時管理情報を記録し終了する（ステップＳ９０７）。
【００５９】
ＯＮの場合は、撮影情報処理部５０１が撮影中に撮影情報の変化を検出すると（ステップＳ９０３）、管理情報処理部５０２でチャプタ分割処理を行う（ステップＳ９０４）。以後、撮影終了するまでステップＳ９０３からＳ９０４を繰り返す（ステップＳ９０５）。変化が検出されなかった場合は、チャプタ分割は行わない。記録トリガにより撮影が終了すると、作成した一時管理情報をディスクに記録し終了する（ステップＳ９０７）。
【００６０】
以上のように、本実施形態によれば、記録系回路２０３は、撮像部２０１により生成された画像データをＤＶＤビデオフォーマットに従って記録媒体２０５に記録する。編集系回路２０６は、記録媒体２０５に記録された画像データをＤＶＤビデオフォーマットにおけるチャプタ及びタイトルとして管理するための管理情報を生成する。その際、編集系回路２０６は、撮像部２０１の撮影条件（例えば撮影モード）の変化に基づいてチャプタを設定する。
【００６１】
なお、記録フォーマットは、ＤＶＤビデオフォーマットに限定されない。編集系回路２０６は、第１の管理単位（チャプタ）と、ｎ個（ｎは１以上の整数）の前記第１の管理単位からなる第２の管理単位（タイトル）で前記記録媒体に記録された画像データを管理するための管理情報を生成する。その際、編集系回路２０６は、撮像部２０１の撮影条件（例えば撮影モード）の変化に基づいて前記第１の管理単位を設定する。
【００６２】
（第３の実施形態）
図１０は、第３の実施形態でのタイトルとチャプタの関係を示す図である。本実施形態は、撮影中の撮影情報変化に基づいてチャプタ分割をすると同時に新規タイトルを作成することも可能である。また、撮影状況や撮影環境によっては撮影情報の変化が頻繁に発生する場合が考えられる。その場合は、チャプタ分割処理や新規タイトル作成処理を一時停止することも可能とする。
【００６３】
ここでは、動画像（１）及び（３）の撮影中に撮影情報が変化している。この場合、動画像（１）の撮影中に撮影情報処理部５０１が撮影情報の変化を検出すると、管理情報処理部５０２では動画像（１）内の変化検出位置までをチャプタ１及びタイトルＩとしてクローズする管理情報を作成する。そして、それ以降の動画像（１）をチャプタ２及びタイトルＩＩとして管理する管理情報を作成する。以降、撮影情報が変化するか撮影終了になるまで、新規チャプタは作成されない。動画像（３）の撮影においても、同様の処理を行う。
【００６４】
以上のように、本実施形態によれば、記録系回路２０３は、撮像部２０１により生成された画像データをＤＶＤビデオフォーマットに従って記録媒体２０５に記録する。編集系回路２０６は、記録媒体２０５に記録された画像データをＤＶＤビデオフォーマットにおけるチャプタ及びタイトルとして管理するための管理情報を生成する。その際、編集系回路２０６は、撮像部２０１の撮影条件（例えば撮影モード）の変化に基づいてチャプタとタイトルとを設定する。
【００６５】
なお、記録フォーマットは、ＤＶＤビデオフォーマットに限定されない。編集系回路２０６は、第１の管理単位（チャプタ）と、ｎ個（ｎは１以上の整数）の前記第１の管理単位からなる第２の管理単位（タイトル）で前記記録媒体に記録された画像データを管理するための管理情報を生成する。その際、編集系回路２０６は、撮像部２０１の撮影条件（例えば撮影モード）の変化に基づいて前記第１の管理単位と前記第２の管理単位とを設定する。
【００６６】
第１〜第３の実施形態において、管理条件設定部２１３では、新規タイトル作成及びチャプタ分割に関する条件をユーザが設定することが可能である。自動管理単位分割機能のＯＮ／ＯＦＦの設定、撮影情報毎に新規タイトル作成もしくはチャプタ分割のＯＮ／ＯＦＦの設定、撮影中のタイトル分割のＯＮ／ＯＦＦの設定、設定時間内の連続管理単位分割は行わないようにするなどの設定を可能とする。なお、上記以外の管理条件に関する設定も可能とすることは言うまでもない。
【００６７】
第２の実施形態では、撮影条件の変化を検出した後、或いは、変化の検出から一定時間遡ってチャプタを設定する場合を説明した。同様に、第１の実施形態では、撮影条件の変化を検出した後、或いは、変化の検出から一定時間遡ってタイトルを設定するようにしてもよい。同様に、第３の実施形態では、撮影条件の変化を検出した後、或いは、変化の検出から一定時間遡ってチャプタとタイトルとを設定するようにしてもよい。
【００６８】
第１〜第３の実施形態では、編集系回路２０６は、撮像部２０１の撮影条件（例えば撮影モード）の変化に基づいてチャプタ及び／又はタイトルを設定する。また、撮影条件は、撮像部２０１における絞りとシャッター速度の関係を表すプログラム線図、絞り値、シャッター速度、ホワイトバランス、露出補正値、ゲイン設定のうち少なくとも一つを含むものである。
【００６９】
第１の実施形態（図６）、第２の実施形態（図８）及び第３の実施形態（図１０）では、画像データの撮影開始（記録開始の指示）及び撮影終了（記録停止の指示）に応じて、チャプタを設定する。また、タイトルの設定に連動してチャプタも設定する。再生系回路２０７は、管理情報に基づいて、チャプタ毎及びタイトル毎にサムネイル画像（代表画像データ）を生成して表示装置２１０に表示する。
【００７０】
また、前述した実施形態は、光ディスクを記録媒体として用いているが、それに限定するものではない。ハードディスクや半導体メモリなどの記録媒体にも、この発明を適用することが可能である。
【００７１】
以上のように、第１〜第３の実施形態によれば、撮影条件の変化に応じて管理単位（チャプタ及び／又はタイトル）を設定することで、被写体の変化に基づく画像の管理が可能となり、ユーザは記録媒体に記録された画像データの内容を把握することが容易になる。
【００７２】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００７３】
【図１】記録媒体に記録されるデータ構造例を示す図である。
【図２】本発明の第１の実施形態による撮像記録装置の構成例を示す図である。
【図３】記録系回路の構成例を示す図である。
【図４】再生系回路の構成例を示す図である。
【図５】編集系回路の構成例を示す図である。
【図６】第１の実施形態におけるタイトルとチャプタの関係を示す図である。
【図７】新規タイトル作成の動作のフローチャートを示す図である。
【図８】第２の実施形態におけるタイトルとチャプタの関係を示す図である。
【図９】チャプタ分割の動作のフローチャートを示す図である。
【図１０】第３の実施形態におけるタイトルとチャプタの関係を示す図である。
【符号の説明】
【００７４】
２０１  撮像部
２０２  マイクロフォン
２０３  記録系回路
２０４  ファイルシステム
２０５  ディスク
２０６  編集系回路
２０７  再生系回路
２０８  画像データ出力端子
２０９  音声データ出力端子
２１０  ＬＣＤ
２１１  システムコントロール部
２１２  操作部
２１３  管理条件設定部
【図１】
2007200409.tif 000003
【図２】
2007200409.tif 000004
【図３】
2007200409.tif 000005
【図４】
2007200409.tif 000006
【図５】
2007200409.tif 000007
【図６】
2007200409.tif 000008
【図７】
2007200409.tif 000009
【図８】
2007200409.tif 000010
【図９】
2007200409.tif 000011
【図１０】
2007200409.tif 000012